(57)【要約】【課題】  スイッチ操作により動作するモータによって焦点距離を変更するズームレンズを有する撮像装置において、所望の焦点距離が容易に得られ、かつ微調整も可能な撮像装置を提供する。【解決手段】  モータ３により焦点距離を変更するズームレンズ２と、モータ３を作動させるスイッチ手段１０と、ズームレンズ２の焦点距離を検出する焦点距離検出手段４と、焦点距離を記憶する記憶手段７とを有する撮像装置において、スイッチ手段１０によりズームレンズ２を動作させ、焦点距離変更時に焦点距離検出手段４で得られた焦点距離が、記憶手段７に記憶された焦点距離に近づくと焦点距離を変更するスピードを遅くする。【選択図】        図１
2005308836.tif 000002
【特許請求の範囲】
【請求項１】
モータにより焦点距離を変更するズームレンズと、モータを作動させるスイッチ手段と、前記ズームレンズの焦点距離を検出する焦点距離検出手段と、焦点距離を記憶する記憶手段とを有する撮像装置において、前記スイッチ手段によりズームレンズを動作させ、焦点距離変更時に焦点距離検出手段で得られた焦点距離が、前記記憶手段に記憶された焦点距離に近づくと該焦点距離を変更する速度を遅くすることを特徴とする撮像装置。
【請求項２】
請求項１の撮像装置において、前記記憶手段に記憶される焦点距離は複数であることを特徴とする撮像装置。
【請求項３】
請求項１または２の撮像装置において、前記記憶手段に記憶される焦点距離を任意に設定可能としたことを特徴とする撮像装置。
【請求項４】
請求項３の撮像装置において、前記記憶手段に記憶される焦点距離は倍率で設定可能としたことを特徴とする撮像装置。
【請求項５】
請求項１乃至４のいずれかの撮像装置において、モータに印加する電圧を下げることで焦点距離を変更する速度を遅くすることを特徴とする撮像装置。
【請求項６】
請求項１乃至５のいずれかの撮像装置において、モード設定する設定手段を有し、モード設定された時に、前記記憶手段に記憶された焦点距離に近づくと焦点距離を変更する速度を遅くすることを特徴とする撮像装置。
【請求項７】
請求項１乃至６のいずれかの撮像装置において、デジタルズームの機能を有し、デジタルズーム領域においても前記記憶手段に記憶された焦点距離に近づくと焦点距離を変更する速度を遅くすることを特徴とする撮像装置。
【発明の詳細な説明】
【技術分野】
【０００１】
本発明は、電動のズームレンズを有する撮像装置に関するものである。
【背景技術】
【０００２】
従来、モータにより焦点距離を変更する電動ズームレンズを有する撮像装置において、焦点距離の設定は、ズームレンズのモータ作動ボタンを操作することで焦点距離を変化させて行う。この時、たとえば前回撮影した時と同じ焦点距離に設定して撮影しようとすると、光学ファインダーや撮影しようとしている画像を表示するＬＣＤ表示を確認して、前回と同じ焦点距離が得られるようにモータ作動ボタンを操作して行っていたため、同じ焦点距離を得ることが難しかった。
そこで、例えば、特許文献１には、メモリに記憶された焦点距離までズームレンズを移動させるシステムが提案されている。
【特許文献１】特開２００２−１３１６１６公報
【発明の開示】
【発明が解決しようとする課題】
【０００３】
しかし、この場合、記憶された焦点距離までズームレンズが移動した状態において、撮影者や被写体の位置ズレにより若干の焦点距離の微調整をしたい時は、記憶された焦点距離までズームレンズが移動するモードを一度解除して、ズームレンズのモータ作動ボタンを操作することでズームレンズを移動し、焦点距離の微調整を行わなければならず即時性に欠ける。また、焦点距離の微調整において、通常のスピードでズームレンズが移動すると、移動し過ぎる場合があり、微調整が難しいといったことがある。逆にズームレンズ移動の全域で微調整が容易なようにスピードを遅くすると、ズームレンズ移動の端から端まで急いで移動したい時に対応できない。
本発明は上述した事情に鑑みてなされたもので、スイッチ操作により動作するモータによって焦点距離を変更するズームレンズを有する撮像装置において、所望の焦点距離が容易に得られ、かつ微調整も可能な撮像装置を提供することを目的としている。
【課題を解決するための手段】
【０００４】
上記目的を達成するために、請求項１記載の発明は、モータにより焦点距離を変更するズームレンズと、モータを作動させるスイッチ手段と、ズームレンズの焦点距離を検出する焦点距離検出手段と、焦点距離を記憶する記憶手段とを有する撮像装置において、スイッチ手段によりズームレンズを動作させ、焦点距離変更時に焦点距離検出手段で得られた焦点距離が、記憶手段に記憶された焦点距離に近づくと焦点距離を変更する速度を遅くする撮像装置を最も主要な特徴とする。
請求項２記載の発明は、請求項１の撮像装置において、記憶手段に記憶される焦点距離は複数である撮像装置を主要な特徴とする。
請求項３記載の発明は、請求項１または２の撮像装置において、記憶手段に記憶される焦点距離を任意に設定可能とした撮像装置を主要な特徴とする。
請求項４記載の発明は、請求項３の撮像装置において、記憶手段に記憶される焦点距離は倍率で設定可能とした撮像装置を主要な特徴とする。
請求項５記載の発明は、請求項１乃至４のいずれかの撮像装置において、モータに印加する電圧を下げることで焦点距離を変更する速度を遅くする撮像装置を主要な特徴とする。
請求項６記載の発明は、請求項１乃至５のいずれかの撮像装置において、モード設定する設定手段を有し、モード設定された時に、記憶手段に記憶された焦点距離に近づくと焦点距離を変更する速度を遅くする撮像装置を主要な特徴とする。
請求項７記載の発明は、請求項１乃至６のいずれかの撮像装置において、デジタルズームの機能を有し、デジタルズーム領域においても記憶手段に記憶された焦点距離に近づくと焦点距離を変更する速度を遅くする撮像装置を主要な特徴とする。
【発明の効果】
【０００５】
本発明は、モータにより焦点距離を変更するズームレンズと、モータを作動させるスイッチ手段と、ズームレンズの焦点距離を検出する焦点距離検出手段と、焦点距離を記憶する記憶手段とを有する撮像装置において、スイッチ手段によりズームレンズを動作させ、焦点距離変更時に焦点距離検出手段で得られた焦点距離が記憶手段に記憶された焦点距離に近づくと、焦点距離を変更するスピードを遅くすることで、所期の目的を達成することができる。
【発明を実施するための最良の形態】
【０００６】
以下、本発明の実施の形態を図面に従って説明する。
図１は本発明の実施の形態に係る撮像装置のブロック図である。本撮像装置は、撮像素子であるＣＣＤ１と、被写体をＣＣＤ１に結像するズームレンズ２と、ズームレンズ２の焦点距離を変更するモータ３と、ズームレンズ２の焦点距離を検出する焦点距離検出部４と、信号処理を行う信号処理部５と、ＣＣＤ出力をＡＤ変換したデータや信号処理されたデータを書き込み／読み出しするＳＤＲＡＭ６とを備える。
また同様に、調整値等のデータを保存しておくＥＥＰＲＯＭ７と、被写体像をプレヴューあるいはモニター表示するための表示部（例えばＬＣＤ）８と、ＣＣＤ１における光量不足時に発光するストロボ部９と、ズームレンズ２のモータ作動を含め、カメラ操作を行う操作スイッチ１０と、電源１１と、ＴＧ（トリガ）１２と、Ｆ／Ｆ（フリップフロップ）１３と、メモリーカード１４と、ＤＣ−ＤＣインバータ１５と、全体の制御を司るＣＰＵ１６とを備える。
図２は本発明の撮像装置における制御フローチャートである。焦点距離を変更するために操作スイッチ１０を操作すると（Ｓ１でＹ）、記憶されている焦点距離（Ｓ２）と現在のズームレンズの焦点距離（Ｓ３）を比較し（Ｓ４）、その差がある範囲内αに入ると（Ｓ５でＹ）、モータ３のスピードを遅くし（Ｓ６）、焦点距離を変更するスピードを遅くする。αの幅は微調整したい幅で設定すればよく、また、任意に設定できるようにしてもよい。その差がある範囲内αから外れると（Ｓ５でＮ）、モータ３を通常スピードとする（Ｓ７）。
【０００７】
図３はズームレンズ位置と記憶された焦点距離と焦点距離変更スピードとの関係の第１の例を示す図である。この例では、記憶された焦点距離Ｐが１箇所設定されている。ここではズームレンズ位置は左端にＷｉｄｅ端を、右端にＴｅｌｅ端を示している。操作スイッチ１０によりズームレンズ焦点距離が変更され、記憶されている焦点距離との差がαより小さくなると、モータ３のスピードを遅くし、焦点距離を変更するスピードを遅くする。これにより、希望の焦点距離までの移動をスムーズにし、希望の焦点距離の近くで焦点距離の微調整を容易に行うことができる。
焦点距離を変更するスピードを変更する時、図４の第２の例に示したように、徐々にスピードを遅くする、あるいは早くするようにしてもよい。こうすることで、スピードが変わる時のショックを軽減し、スムーズにスピードの変更ができるようになる。
図５はズームレンズ位置と記憶された焦点距離と焦点距離変更スピードとの関係の第３の例を示す図である。この例では記憶された焦点距離がＰ、Ｑと複数である。希望する焦点距離が複数あっても、同様の動作で希望の焦点距離までの移動をスムーズにし、希望の焦点距離の近くで焦点距離の微調整を容易に行うことができる。
図６はズームレンズ位置と記憶された焦点距離と焦点距離変更スピードとの関係の第４の例を示す図である。この例では焦点距離Ｐを変更するスピードの変更を、ズームレンズ２を動作させるモータ３に印加する電圧を変化して行う。焦点距離を変更するスピードを遅くする時は、モータ３に印加する電圧を下げることでモータ３のスピードを遅くし、焦点距離を変更するスピードを遅くしている。これにより焦点距離を変更するスピードを変更する方法を容易にしている。
本実施形態では、スイッチ手段（操作スイッチ１０）によりズームレンズ２を動作させ、焦点距離変更時に検出手段（焦点距離検出部４）で得られた焦点距離が、記憶手段（ＥＥＰＲＯＭ７）に記憶された焦点距離に近づくと焦点距離を変更するスピードが遅くなることで、希望の焦点距離までの移動をスムーズにし、希望の焦点距離の近くで焦点距離の微調整を容易に行うことができる。
【０００８】
また、スイッチ手段によりズームレンズを動作させ、焦点距離変更時に検出手段で得られた焦点距離が、記憶手段に複数記憶された焦点距離に近づくと焦点距離を変更するスピードが遅くなることで、希望の焦点距離までの移動をスムーズにし、希望の焦点距離の近くで焦点距離の微調整を容易に行うことができる。
また、スイッチ手段によりズームレンズを動作させ、焦点距離変更時に検出手段で得られた焦点距離が記憶手段に任意に設定され、記憶された焦点距離に近づくと焦点距離を変更するスピードが遅くなることで、希望の焦点距離までの移動をスムーズにし、希望の焦点距離の近くで焦点距離の微調整を容易に行うことができる。
また、スイッチ手段によりズームレンズを動作させ、焦点距離変更時に検出手段で得られた焦点距離が倍率として記憶手段に任意に設定され、記憶された焦点距離に近づくと焦点距離を変更するスピードが遅くなることで、希望の焦点距離までの移動をスムーズにし、希望の焦点距離の近くで焦点距離の微調整を容易に行うことができる。
また、スイッチ手段によりズームレンズを動作させ、焦点距離変更時に検出手段で得られた焦点距離が、記憶手段に記憶された焦点距離に近づくとモータに印加する電圧を下げることによって焦点距離を変更するスピードが遅くなることで、希望の焦点距離までの移動をスムーズにし、希望の焦点距離の近くで焦点距離の微調整を容易に行うことができる。
また、モード設定された時に、スイッチ手段によりズームレンズを動作させ、焦点距離変更時に検出手段で得られた焦点距離が、記憶手段に記憶された焦点距離に近づくと焦点距離を変更するスピードが遅くなることで、希望の焦点距離までの移動をスムーズにし、希望の焦点距離の近くで焦点距離の微調整を容易に行うことができる。
また、デジタルズームの領域を含めて、スイッチ手段によりズームレンズを動作させ、焦点距離変更時に検出手段で得られた焦点距離が、記憶手段に記憶された焦点距離に近づくと焦点距離を変更するスピードが遅くなることで、希望の焦点距離までの移動をスムーズにし、希望の焦点距離の近くで焦点距離の微調整を容易に行うことができる。
【図面の簡単な説明】
【０００９】
【図１】本発明の実施の形態に係る撮像装置のブロック図。
【図２】本発明の撮像装置における制御フローチャート。
【図３】ズームレンズ位置と記憶された焦点距離と焦点距離変更スピードとの関係の第１の例を示す図。
【図４】ズームレンズ位置と記憶された焦点距離と焦点距離変更スピードとの関係の第２の例を示す図。
【図５】ズームレンズ位置と記憶された焦点距離と焦点距離変更スピードとの関係の第３の例を示す図。
【図６】ズームレンズ位置と記憶された焦点距離と焦点距離変更スピードとの関係の第４の例を示す図。
【符号の説明】
【００１０】
２  ズームレンズ、３  モータ、４  焦点距離検出部（焦点距離検出手段）、７  ＥＥＰＲＯＭ（記憶手段）、８  表示部（設定手段）、１０  操作スイッチ（スイッチ手段）
【図１】
2005308836.tif 000003
【図２】
2005308836.tif 000004
【図３】
2005308836.tif 000005
【図４】
2005308836.tif 000006
【図５】
2005308836.tif 000007
【図６】
2005308836.tif 000008